(57)【要約】【課題】イオン電極分析計の前で排水中に含まれる保護フィルター閉塞成分を除去することで、安定的なイオン濃度測定を行うことができる排水中のイオン濃度測定方法及び装置を提供する。【解決手段】イオン電極法により排水中のイオン濃度を測定する方法において、排水中のＳＳを傾斜ウェッジワイアスクリーン４で除去した後、イオン電極１６によりイオン濃度を測定することを特徴とする排水中のイオン濃度測定方法。排水中のＳＳを除去する傾斜ウェッジワイアスクリーン４と、該傾斜ウェッジワイアスクリーン４でＳＳが除去された排水中のイオン濃度を測定するイオン電極１６とを有する排水中のイオン濃度の測定装置。【選択図】図１
2020085779.tif 000002
【特許請求の範囲】
【請求項１】
イオン電極を有する分析計により排水中のイオン濃度を測定する方法において、該分析計に設けられた保護フィルターよりも前段において該排水中のＳＳを除去した後、該分析計によりイオン濃度を測定することを特徴とする排水中のイオン濃度測定方法。
【請求項２】
前記排水中のＳＳを傾斜スクリーンで除去することを特徴とする請求項１の排水中のイオン濃度測定方法。
【請求項３】
前記傾斜スクリーンは、傾斜ウェッジワイアスクリーンであることを特徴とする請求項２の排水中のイオン濃度測定方法。
【請求項４】
排水中のＳＳを除去するＳＳ除去手段と、該ＳＳ除去手段でＳＳが除去された排水中のイオン濃度を測定するための、保護フィルター及びイオン電極を備えた分析計と
を有する排水中のイオン濃度の測定装置。
【発明の詳細な説明】
【技術分野】
【０００１】
本発明は、排水中のイオン濃度測定方法に係り、特にイオン電極を用いた排水中のイオン濃度測定方法に関する。
【背景技術】
【０００２】
排水放流規制のある無機イオン（フッ素、ホウ素、水銀、カドミニウムなど）の排水処理としてＰＡＣなどの凝集剤を添加して除去するなどの方法がある。これら方法を適用するには、排水原水のイオン類濃度を測定し、適正な凝集剤の添加量を設定する必要がある。これらのイオン類の測定にイオン電極法がある（特許文献１）。
【０００３】
従来は、排水原水を定期的（例えば２回／日〜１回／週）に採取し、排水管理者が手動で分析を行い、分析値に応じた凝集剤の添加量を設定していた。
【０００４】
この方法では、定期的に原水を分析するのに手間がかかる。また、排水中の除去対象イオン濃度は変動するので、凝集剤の過剰投入期間や過少投入期間が生じやすい。特に過少添加は問題があるため、通常は分析値に対して安全を見た過剰添加で運転するのが一般的である。凝集剤の過剰添加は凝集剤薬品の使用量増大、廃棄汚泥の増加による環境負荷および処理コスト増大の問題があった。
【先行技術文献】
【特許文献】
【０００５】
【特許文献１】特開２０１７−６４５６９号公報
【発明の概要】
【発明が解決しようとする課題】
【０００６】
イオン電極分析計においては、通常イオン電極本体の保護、サンプル室および配管の閉塞防止のため、メーカー指定の保護フィルターが標準装備されている。しかしながら、排水中には不定形のＳＳ成分が含まれているため、保護フィルターが閉塞してしまい、頻繁に保護フィルターの交換や洗浄を行わないと安定的な測定ができない問題があった。
【０００７】
本発明は、イオン電極分析計の前で排水中に含まれる保護フィルター閉塞成分を除去することで、安定的なイオン濃度測定を行うことができる排水中のイオン濃度測定方法及び装置を提供することを目的とする。
【課題を解決するための手段】
【０００８】
本発明の排水中のイオン濃度測定方法は、イオン電極を有する分析計により排水中のイオン濃度を測定する方法において、該分析計に設けられた保護フィルターよりも前段において該排水中のＳＳを除去した後、該分析計によりイオン濃度を測定することを特徴とする。
【０００９】
本発明の排水中のイオン濃度測定装置は、排水中のＳＳを除去するＳＳ除去手段と、該ＳＳ除去手段でＳＳが除去された排水中のイオン濃度を測定するための、保護フィルター及びイオン電極を備えた分析計とを有する。
【００１０】
本発明の一態様では、前記排水中のＳＳを傾斜スクリーンで除去する。
【００１１】
本発明の一態様では、前記傾斜スクリーンは、傾斜ウェッジワイアスクリーンである。
【発明の効果】
【００１２】
本発明では、排水中のＳＳが、イオン電極分析計の保護フィルターが閉塞しない程度に前処理で除去される。そのため、イオン電極による原水イオン濃度の測定を連続的、安定的に行うことが可能となる。これにより、イオン濃度に応じた適正な凝集剤添加量を実現することが可能となり、薬剤使用量および汚泥発生量を減少させることができる。
【図面の簡単な説明】
【００１３】
【図１】実施の形態に係る排水中のイオン濃度測定装置の構成図である。
【図２】実施例及び比較例の結果を示すグラフである。
【発明を実施するための形態】
【００１４】
以下、図１を参照して実施の形態について説明する。
【００１５】
排水原水槽から排水が前処理装置受けタンク１に移送される。該タンク１内の排水は、ポンプ２及び配管３を介してウェッジワイア傾斜スクリーン４の上部へ送水され、該傾斜スクリーン４に沿って流れる。この間に、ＳＳ成分を含む濃縮液と、スクリーン透過水とに分離される。
【００１６】
傾斜スクリーン４を通過した排水（スクリーン透過水）は処理液中継タンク５に入る。傾斜スクリーン４の上面を流れたＳＳ成分を含む濃縮液は、傾斜スクリーン４上面から濃縮液受けタンク６に流入し、配管７，２０を介して排水原水槽に戻される。
【００１７】
処理液中継タンク５内の排水は、配管８を介して分析計受けタンク９へオーバーフローにより流入する。傾斜スクリーン４の通過流量は後述のポンプ１３の送水量よりも大きく設定してあり、処理液中継タンク５からは常にオーバーフローで分析計受けタンク９に排水が移送される。なお、ポンプで分析受けタンクへ移送することも可能である。傾斜スクリーン４通過液（処理液）の流量は、分析計受けタンク９に供給する液流量の１．２〜３倍程度であることが好ましい。
【００１８】
分析計受けタンク９のオーバーフロー水は配管１０，２０を介して排水原水槽に戻される。
【００１９】
分析計受けタンク９内の排水は、分析計保護フィルター１１を通り、配管１２，ポンプ１３及び試料混合槽１４を介して測定セル１５に送られる。測定セル１５には、イオン電極１６及び比較電極１７が設けられており、イオン濃度が測定される。測定セル１５は大気開放下にあり、オーバーフローした測定排水は配管１８，２０を介して排水原水槽に戻される。
【００２０】
この実施の形態では、排水を分析計受けタンク９に導入する前にＳＳを傾斜スクリーン４で除去するので、イオン電極分析計に標準装備されている保護フィルター１１を閉塞させることなく連続的に排水中の測定対象イオンの測定が可能になる。
【００２１】
なお、傾斜スクリーン４としては、分析装置に標準装備されている保護フィルター１１の目開きの１／５〜１／３の大きさのＳＳが除去できるウェッジワイアスクリーンが好適である。一般的には分析装置に装着される保護フィルターとしては１００メッシュ（目開き約０．１５ｍｍ）のものが多く使用されている。この場合、前処理装置の傾斜スクリーン４として、目開き０．０３〜０．０５ｍｍのウェッジワイアスクリーンを使用するのが好ましい。このウェッジワイアスクリーンは、目詰まりによる交換の必要が無いことから、連続測定に適している。必要に応じてウェッジワイアスクリーンの裏から逆洗する逆洗機構を設ける。
【実施例】
【００２２】
［実施例１］（脱硫排水からスクリーンでＳＳを除去してフッ素濃度を測定）
＜実験条件＞
図１のフローを有する測定システムを、脱硫排水処理施設内に設置した。傾斜スクリーン４には、ファインアーク−６０（２００型、目開き０．０３ｍｍ、東洋スクリーン工業株式会社製）を使用し、分析計はふっ化物イオン分析装置（型式ＦＭＳ−４  東亜ディーケーケー株式会社製）を用いた。分析装置には目開き１００メッシュの保護フィルター１１が設けられている。
【００２３】
排水原水槽より、ＰＡＣ添加前のフッ素含有廃水を１，０００Ｌ／Ｈｒで前処理装置受けタンク１に移送し、ポンプ２を経由して、目開き０．０３ｍｍのウェッジワイア傾斜スクリーン４に５００Ｌ／Ｈｒで供給した。スクリーン４を通過した排水を、処理液中継タンク５から分析計受けタンク９に移送した。分析計受けタンク９内の排水をポンプ１３により測定セル１５に２００Ｌ／ｈｒで送水し、フッ素イオン濃度を測定した。測定セル１５への送水を連続的に行い、イオン電極分析値を４時間に１回の頻度でデータ記録計に出力した。結果を図２に示す。
【００２４】
［参考例１］
対照のために、排水を採取して手分析を１日１回行った。手分析方法は、ＪＩＳ  Ｋ０１０２  ３４．１ランタン−アリザリンコンプレキソン吸光度法を用いた。結果を図２に示す。
【００２５】
［比較例１］（スクリーンでのＳＳ除去を行うことなく脱硫排水中のフッ素濃度を測定）
＜実験条件＞
実施例１において、排水原水槽より、ＰＡＣ添加前のフッ素含有廃水を５００Ｌ／Ｈｒで分析計受けタンク９に送水したこと以外は実施例１と同一条件で測定を行った。結果を図２に示す。
【００２６】
＜考察＞
図２の通り、実施例１では、測定値は排水中のフッ素イオン濃度の変動と連動しており、手分析結果と良く一致していた。比較例１では、測定開始１００時間までは排水中のフッ素イオン濃度の変動と連動していたが、１００時間以降は正確な測定が出来なくなった。これは、保護フィルター１１が閉塞し測定セル１５への送水ができなくなったためであると考えられる。
【符号の説明】
【００２７】
１  前処理装置受けタンク
４  傾斜スクリーン
５  処理液中継タンク
６  濃縮液受けタンク
９  分析計受けタンク
１１  分析計保護フィルター
１５  測定セル
１６  イオン電極
【図１】
2020085779.tif 000003
【図２】
2020085779.tif 000004